(57)【要約】【課題】三相の電気機器を三角配置した場合でも、ユニット長の縮小化が可能な相分離型のガス絶縁開閉装置を提供すること。【解決手段】ガス絶縁開閉装置１は、第１の方向に配列された三相の遮断器である遮断器２ａ〜２ｃと、遮断器２ａ〜２ｃにそれぞれ接続された三相の電気機器である計器用変圧器１２ａ〜１２ｃと、計器用変圧器１２ａ〜１２ｃに共通して１個設けられ、計器用変圧器１２ａ〜１２ｃからそれぞれリード線を引き出すために用いられる端子箱１３と、を備える。計器用変圧器１２ａ，１２ｃは、第１の方向に配列される。計器用変圧器１２ｂは、上面視で、計器用変圧器１２ａ，１２ｃに対して第１の方向と直交する水平方向である第２の方向にずらして配置される。端子箱１３は、計器用変圧器１２ａと計器用変圧器１２ｃとの間に配置される。【選択図】図４
2016201969.tif 000002
【特許請求の範囲】
【請求項１】
第１の方向に配列された三相の遮断器である第１から第３の遮断器と、
前記第１から第３の遮断器にそれぞれ接続された三相の線路側断路器である第１から第３の線路側断路器と、
前記第１から第３の線路側断路器にそれぞれ接続された三相の電気機器である第１から第３の電気機器と、
前記第１から第３の電気機器に共通して１個設けられ、前記第１から第３の電気機器からそれぞれリード線を引き出すために用いられる端子箱と、
を備え、
前記第１および第３の電気機器は、前記第１の方向に配列され、
前記第２の電気機器は、上面視で、前記第１および第３の電気機器に対して前記第１の方向と直交する水平方向である第２の方向にずらして配置され、
前記端子箱は、前記第１の電気機器と前記第３の電気機器との間に配置されていることを特徴とするガス絶縁開閉装置。
【請求項２】
前記端子箱の上方または下方に、前記第１から第３の電気機器のタンクに接続されるガス配管の先端部が配置されることを特徴とする請求項１に記載のガス絶縁開閉装置。
【請求項３】
第１の方向に配列された三相の遮断器である第１から第３の遮断器と、
前記第１から第３の遮断器にそれぞれ接続された三相の線路側断路器である第１から第３の線路側断路器と、
前記第１から第３の線路側断路器にそれぞれ接続された三相の電気機器である第１から第３の電気機器と、
前記第１から第３の電気機器に共通して１個設けられ、前記第１から第３の電気機器からそれぞれリード線を引き出すために用いられる端子箱と、
を備え、
前記第１および第３の電気機器は、前記第１の方向に配列され、
前記第２の電気機器は、前記第１の方向と直交する水平方向である第２の方向からの側面視で、前記第１および第３の電気機器に対して鉛直方向にずらして配置され、
前記端子箱は、前記第１の電気機器と前記第３の電気機器との間に配置されている
ことを特徴とするガス絶縁開閉装置。
【請求項４】
前記電気機器は、計器用変流器、計器用変圧器または避雷器であることを特徴とする請求項１から３のいずれか１項に記載のガス絶縁開閉装置。
【発明の詳細な説明】
【技術分野】
【０００１】
本発明は、相分離された三相の遮断器と、各相の遮断器にそれぞれ接続された保護計測機器とを備えたガス絶縁開閉装置に関するものである。
【背景技術】
【０００２】
変電所または発電所で使用されるガス絶縁開閉装置は、遮断器、断路器および保護計測機器を含む複数の電気機器を組み合わせて構成される。ここで、保護計測装置は、避雷器のような保護機器、または計器用変流器もしくは計器用変圧器のような計測機器の総称である。ガス絶縁開閉装置は、限られたスペース内で複数の電気機器を組み合わせて構成されることから、機器全体の寸法の縮小化が課題となっている。
【０００３】
ガス絶縁開閉装置は、三相の遮断器が一括して同一の遮断器タンク内に配置される三相一括型のものと、三相の遮断器がそれぞれ異なる遮断器タンク内に配置される相分離型のものが知られている。
【０００４】
相分離型のガス絶縁開閉装置では、三相の遮断器は各々の遮断器タンクを互いに平行にして一方向に配列され、三相の遮断器の配列方向は各相の遮断器タンクの長手方向と直交する方向である。
【０００５】
従来、このような相分離型のガス絶縁開閉装置では、三相の保護計測装置は、三相の遮断器の配列方向に直線的に配列される構成が一般的である。しかしながら、このような構成では、相間距離が三相の保護計測機器の機器体格で制約されるので、相間距離の縮小化が困難となる。
【０００６】
そこで、従来、三相の保護計測機器の相間距離を縮小化するために、三相の保護計測機器を三角配置する構成が知られている。例えば特許文献１では、三相の計器用変流器について、三相の遮断器の配列方向と直交する方向であるユニット方向において、隣り合う計器用変流器同士の位置を互いにずらすことにより、三相の計器用変流器を三角配置している。このような三角配置により、機器体格の制約を受けることなく、相間距離を縮小化することが可能になる。
【先行技術文献】
【特許文献】
【０００７】
【特許文献１】特開平５−１９９６２５号公報
【発明の概要】
【発明が解決しようとする課題】
【０００８】
ところで、保護計測機器は、リード線を外部に引き出すための端子箱を備えている。例えば、計器用変流器では、２次側のリード線を引き出すための端子箱が計器用変流器タンクの側面に設けられる。
【０００９】
従来、このような端子箱は、三相ともに保護計測機器の同じ位置に配置されている。特に、相間距離を増大させないためには、三相いずれの端子箱も相間には配置されず、ユニット方向における保護計測機器タンクの側面に配置される。
【００１０】
しかしながら、保護計測機器の端子箱をユニット方向における保護計測機器タンクの側面に配置した場合は、一般に、ガス絶縁開閉装置のユニット長が増大する。特に、保護計測機器がユニットの端部に配置される場合には、三相の保護計測機器を三角配置したときは、中相の端子箱がユニット方向においてより外側に配置されることとなり、ユニット長は三相の保護計測機器を直線的に配列した場合よりも増大してしまう。
【００１１】
この発明は、上記に鑑みてなされたもので、三相の電気機器を三角配置した場合でも、ユニット長の縮小化が可能な相分離型のガス絶縁開閉装置を提供することを目的とする。
【課題を解決するための手段】
【００１２】
上述した課題を解決し、目的を達成するために、本発明に係るガス絶縁開閉装置は、第１の方向に配列された三相の遮断器である第１から第３の遮断器と、前記第１から第３の遮断器にそれぞれ接続された三相の線路側断路器である第１から第３の線路側断路器と、前記第１から第３の線路側断路器にそれぞれ接続された三相の電気機器である第１から第３の電気機器と、前記第１から第３の電気機器に共通して１個設けられ、前記第１から第３の電気機器からそれぞれリード線を引き出すために用いられる端子箱と、を備え、前記第１および第３の電気機器は、前記第１の方向に配列され、前記第２の電気機器は、上面視で、前記第１および第３の電気機器に対して前記第１の方向と直交する水平方向である第２の方向にずらして配置され、前記端子箱は、前記第１の電気機器と前記第３の電気機器との間に配置されていることを特徴とする。
【発明の効果】
【００１３】
この発明によれば、三相の電気器機器を三角配置した場合でも、ユニット長の縮小化が可能になる、という効果を奏する。
【図面の簡単な説明】
【００１４】
【図１】実施の形態１に係るガス絶縁開閉装置のＵ相の側面図
【図２】実施の形態１に係るガス絶縁開閉装置のＶ相の側面図
【図３】実施の形態１に係るガス絶縁開閉装置のＷ相の側面図
【図４】実施の形態１に係るガス絶縁開閉装置の上面図
【図５】実施の形態１において三相の計器用変圧器と三相の計器用変圧器に共通の端子箱の配置を示した上面図
【図６】実施の形態１において三相の計器用変圧器に共通のガス配管の配置を示した上面図
【図７】実施の形態２に係るガス絶縁開閉装置の側面図
【図８】実施の形態２に係るガス絶縁開閉装置の上面図
【図９】実施の形態２における三相の計器用変圧器の側面図
【発明を実施するための形態】
【００１５】
以下に、本発明に係るガス絶縁開閉装置の実施の形態を図面に基づいて詳細に説明する。なお、この実施の形態によりこの発明が限定されるものではない。
【００１６】
実施の形態１．
図１は、本実施の形態に係るガス絶縁開閉装置１のＵ相の側面図、図２は、本実施の形態に係るガス絶縁開閉装置１のＶ相の側面図、図３は、本実施の形態に係るガス絶縁開閉装置１のＷ相の側面図、図４は、本実施の形態に係るガス絶縁開閉装置１の上面図である。詳細には、図１は、図４におけるＹ１−Ｙ１側面図、図２は、図４におけるＹ２−Ｙ２側面図、図３は、図４におけるＹ３−Ｙ３側面図、図４は、図１におけるＸ−Ｘ平面図である。以下、図１から図４を参照して、ガス絶縁開閉装置１の構成について説明する。ガス絶縁開閉装置１は、ガス絶縁開閉装置１を構成する複数の機器の各々のタンク内に絶縁ガスが封入されて絶縁性能が維持されている。
【００１７】
主母線６は、例えば三相一括の主母線であり、同一の主母線タンク内に通電部となる図示しない三相の導体が延設されている。以下では、主母線６の延伸方向を第１の方向という。主母線６は、架台５１上に設置されている。また、架台５１は、設置面５０上に配置されている。なお、本実施の形態では、主母線６は、三相一括の主母線としているが、相分離型の主母線としてもよい。
【００１８】
三相の遮断器２ａ〜２ｃは、第１の方向に配列されている。詳細には、三相の遮断器２ａ〜２ｃは、それぞれいわゆる横型の遮断器であり、三相の遮断器２ａ〜２ｃの各遮断器タンクは長手方向を水平かつ第１の方向と直交する方向にして配置されている。以下では、第１の方向と直交する水平方向を第２の方向という。なお、三相の遮断器２ａ〜２ｃの各遮断器タンクは、円筒形状であり、長手方向は円筒の軸線方向である。また、第２の方向は、ユニット方向である。
【００１９】
図１では、三相のうちのＵ相の構成が示されている。第１の遮断器である遮断器２ａは、架台５２ａ上に配置されている。架台５２ａは設置面５０上に配置されている。遮断器２ａは、長手方向に離間して配置されると共に上方に向いた１対の分岐引出し口を遮断器タンクに備えている。遮断器２ａの１対の分岐引出し口のうちの一方には第１の母線側計器用変流器である計器用変流器３ａを介して接地開閉器４ａが接続されている。接地開閉器４ａは、第１の母線側接地開閉器であり、計器用変流器３ａの上部に配置されている。また、接地開閉器４ａは、主母線６と同じ高さに配置される。接地開閉器４ａは、第１の母線側断路器である断路器５ａを介して主母線６と接続されている。断路器５ａは主母線６の内部のＵ相の導体と接続される。
【００２０】
遮断器２ａの１対の分岐引出し口のうちの他方には第１の線路側計器用変流器である計器用変流器７ａを介して接地開閉器８ａが接続されている。接地開閉器８ａは、第１の線路側接地開閉器であり、計器用変流器７ａの上部に配置されている。また、接地開閉器８ａは、主母線６と同じ高さに配置される。接地開閉器８ａは、第１の線路側断路器である断路器９ａに接続される。断路器９ａは、主母線６側と反対側で接地開閉器８ａに接続され、接地開閉器８ａと同じ高さに配置されている。断路器９ａの上部には、保護機器である避雷器１０ａが接続されている。断路器９ａには、接地開閉器８ａ側とは反対側にＴ字型の接続母線１１ａが接続され、接続母線１１ａの上部には計測機器としての第１の電気機器である計器用変圧器１２ａが接続されている。また、接続母線１１ａには、断路器９ａ側とは反対側に接続母線１４ａが接続されている。接続母線１４ａは、図示しないＵ相の送電線に接続される。
【００２１】
図２では、三相のうちのＶ相の構成が示されている。第２の遮断器である遮断器２ｂは、架台５２ｂ上に配置されている。架台５２ｂは設置面５０上に配置されている。遮断器２ｂは、長手方向に離間して配置されると共に上方に向いた１対の分岐引出し口を遮断器タンクに備えている。遮断器２ｂの１対の分岐引出し口のうちの一方には第２の母線側計器用変流器である計器用変流器３ｂを介して接地開閉器４ｂが接続されている。接地開閉器４ｂは、第２の母線側接地開閉器であり、計器用変流器３ｂの上部に配置されている。また、接地開閉器４ｂは、主母線６と同じ高さに配置される。接地開閉器４ｂは、第２の母線側断路器である断路器５ｂを介して主母線６と接続されている。断路器５ｂは主母線６の内部のＶ相の導体と接続される。
【００２２】
遮断器２ｂの１対の分岐引出し口のうちの他方には第２の線路側計器用変流器である計器用変流器７ｂを介して接地開閉器８ｂが接続されている。接地開閉器８ｂは、第２の線路側接地開閉器であり、計器用変流器７ｂの上部に配置されている。また、接地開閉器８ｂは、主母線６と同じ高さに配置される。接地開閉器８ｂは、第２の線路側断路器である断路器９ｂに接続される。断路器９ｂは、主母線６側と反対側で接地開閉器８ｂに接続され、接地開閉器８ｂと同じ高さに配置されている。断路器９ｂの上部には、保護機器である避雷器１０ｂが接続されている。断路器９ｂには、接地開閉器８ｂ側とは反対側にＴ字型の接続母線１１ｂが接続され、接続母線１１ｂの上部には計測機器としての第２の電気機器である計器用変圧器１２ｂが接続されている。なお、第２の方向における接続母線１１ｂの寸法は、同方向における接続母線１１ａの寸法よりも長い。また、接続母線１１ｂには、断路器９ｂ側とは反対側に接続母線１４ｂが接続されている。接続母線１４ｂは、図示しないＶ相の送電線に接続される。
【００２３】
図３では、三相のうちのＷ相の構成が示されている。第３の遮断器である遮断器２ｃは、架台５２ｃ上に配置されている。架台５２ｃは設置面５０上に配置されている。遮断器２ｃは、長手方向に離間して配置されると共に上方に向いた１対の分岐引出し口を遮断器タンクに備えている。遮断器２ｃの１対の分岐引出し口のうちの一方には第３の母線側計器用変流器である計器用変流器３ｃを介して接地開閉器４ｃが接続されている。接地開閉器４ｃは、第３の母線側接地開閉器であり、計器用変流器３ｃの上部に配置されている。また、接地開閉器４ｃは、主母線６と同じ高さに配置される。接地開閉器４ｃは、第３の母線側断路器である断路器５ｃを介して主母線６と接続されている。断路器５ｃは主母線６の内部のＷ相の導体と接続される。
【００２４】
遮断器２ｃの１対の分岐引出し口のうちの他方には第３の母線側計器用変流器である計器用変流器７ｃを介して接地開閉器８ｃが接続されている。接地開閉器８ｃは、第３の線路側接地開閉器であり、計器用変流器７ｃの上部に配置されている。また、接地開閉器８ｃは、主母線６と同じ高さに配置される。接地開閉器８ｃは、第３の線路側断路器である断路器９ｃに接続される。断路器９ｃは、主母線６側と反対側で接地開閉器８ｃに接続され、接地開閉器８ｃと同じ高さに配置されている。断路器９ｃの上部には、保護機器である避雷器１０ｃが接続されている。断路器９ｃには、接地開閉器８ｃ側とは反対側にＴ字型の接続母線１１ｃが接続され、接続母線１１ｃの上部には計測機器としての第３の電気機器である計器用変圧器１２ｃが接続されている。なお、第２の方向における接続母線１１ｃの寸法は、同方向における接続母線１１ａの寸法に等しい。また、接続母線１１ｃには、断路器９ｃ側とは反対側に接続母線１４ｃが接続されている。接続母線１４ｃは、図示しないＷ相の送電線に接続される。
【００２５】
次に、計器用変圧器１２ａ〜１２ｃに共通して１個設けられた端子箱１３の配置を、避雷器１０ａ〜１０ｃにそれぞれ設けられた端子箱１５ａ〜１５ｃの配置と対比して説明する。避雷器１０ａ〜１０ｃのタンクはそれぞれ円筒状で、タンクは軸線を鉛直方向にして配置され、上面視で円形状である。同様に、計器用変圧器１２ａ〜１２ｃのタンクはそれぞれ円筒状で、タンクは軸線を鉛直方向にして配置され、上面視で円形状である。ただし、図示例では、計器用変圧器１２ａ〜１２ｃのタンクの外径は、避雷器１０ａ〜１０ｃのタンクの外径よりも大きい。従って、相間距離は計器用変圧器１２ａ〜１２ｃの機器体格によって支配される。
【００２６】
そこで、本実施の形態では、避雷器１０ａ〜１０ｃは、第１の方向に直線的に配列するのに対し、計器用変圧器１２ａ〜１２ｃは三角配置する。すなわち、計器用変圧器１２ａ，１２ｃは第１の方向に直線的に配列されるが、計器用変圧器１２ｂは計器用変圧器１２ａ，１２ｃに対して第２の方向にずらして配置されている。具体的には、計器用変圧器１２ｂは計器用変圧器１２ａ，１２ｃよりも主母線６側と反対側に配置されている。計器用変圧器１２ａ〜１２ｃは、上面視で二等辺三角形の頂点の位置に配置される。
【００２７】
また、避雷器１０ａ〜１０ｃの端子箱１５ａ〜１５ｃは、避雷器１０ａ〜１０ｃからそれぞれリード線を引き出すために設けられる。端子箱１５ａ〜１５ｃは、上面視で避雷器１０ａ〜１０ｃの主母線６側の側面に設けられ、第１の方向に直線的に配列されている。
【００２８】
図５は、計器用変圧器１２ａ〜１２ｃと端子箱１３の配置を示した上面図である。計器用変圧器１２ａ〜１２ｃの端子箱１３は、計器用変圧器１２ａ〜１２ｃに共通して１個設けられる。端子箱１３は、計器用変圧器１２ａ〜１２ｃからそれぞれリード線１４を引き出すために設けられる。端子箱１３は、上面視で計器用変圧器１２ａ，１２ｃ間に配置される。すなわち、計器用変圧器１２ａ，１２ｃと端子箱１３が第１の方向に直線的に配列される。このように、計器用変圧器１２ｂを第２の方向にずらし、これにより形成された空きスペースに３相共通で計器用変圧器１２ａ〜１２ｃの端子箱１３を配置している。なお、図５では、計器用変圧器１２ａ，１２ｃは、計器用変圧器１２ｂに対してより遮断器２ａ〜２ｃ側に配置されているが、計器用変圧器１２ｂを計器用変圧器１２ａ、１２ｃに対してより遮断器２ａ〜２ｃ側に配置することも可能である。ただし、図示例の構成によれば、接続母線１１ａ，１１ｃの第２の方向の長さが接続母線１１ｂの第２の方向の長さよりも短くなるので、接続母線１１ａ〜１１ｃのうちの２本を短寸化することができる。
【００２９】
さらに、計器用変圧器１２ａ〜１２ｃの三角配置により形成された空きスペースを利用して、計器用変圧器１２ａ〜１２ｃに共通のガス配管を配置することができる。図６は、計器用変圧器１２ａ〜１２ｃに共通のガス配管２１の配置を示した上面図である。ガス配管２１は、計器用変圧器１２ａ〜１２ｃの各々のタンク内に絶縁ガスを供給し、あるいは絶縁ガスを回収するために利用される配管である。ガス配管２１の先端部は計器用変圧器１２ａ〜１２ｃの三角配置により形成された空きスペースに配置され、端子箱１３の上方または下方に配置されている。ガス配管２１の先端部は３本に分岐し、３本のうちの１本はバルブ２０ａを介して計器用変圧器１２ａのタンクに接続され、３本のうちの別の１本はバルブ２０ｂを介して計器用変圧器１２ｂのタンクに接続され、３本のうちの残りの１本はバルブ２０ｃを介して計器用変圧器１２ｃのタンクに接続される。
【００３０】
本実施の形態によれば、図４に示すように、計器用変圧器１２ａ〜１２ｃを三角配置したので、相間距離Ｂを縮小化することができる。すなわち、計器用変圧器１２ａ〜１２ｃは、第２の方向から見たときに、互いに一部が重複するように配置することができるので、計器用変圧器１２ａ〜１２ｃの機器体格の制約を受けることなく、相間距離Ｂを縮小化することができる。
【００３１】
さらに、本実施の形態によれば、計器用変圧器１２ａ〜１２ｃに共通の端子箱１３を設け、計器用変圧器１２ａ，１２ｃと端子箱１３を第１の方向に直線的に配列したので、計器用変圧器１２ａ〜１２ｃを三角配置したことによる空きスペースを有効活用することができ、ユニット長Ａの増大を抑制することができる。
【００３２】
これに対し、計器用変圧器１２ａ〜１２ｃを三角配置し、かつ、計器用変圧器１２ａ〜１２ｃに個別に端子箱を設ける場合には、計器用変圧器１２ｂの端子箱は主母線６側と反対側の計器用変圧器１２ｂの側面に設けるのが一般的であるが、この場合は、計器用変圧器１２ｂの端子箱が第２の方向においてより外側に配置されることとなり、ユニット長が図示例のＡよりも増大してしまう。
【００３３】
以上に説明したように、本実施の形態によれば、三相の計器用変圧器１２ａ〜１２ｃを三角配置した場合でも、相間距離Ｂの縮小化を実現しつつ、ユニット長Ａの縮小化が可能になる。
【００３４】
また、本実施の形態では、三相の計器用変圧器１２ａ〜１２ｃに一括の端子箱１３を設けるようにしたので、機器を省力化することができる。
【００３５】
また、本実施の形態では、計器用変圧器１２ａ〜１２ｃに接続されるガス配管２１を共通化し、ガス配管２１の先端部を計器用変圧器１２ａ〜１２ｃを三角配置したことによる空きスペースに配置するようにしたので、機器の省略化、機器配置の効率化が可能となる。
【００３６】
なお、本実施の形態では、三相の計器用変圧器１２ａ〜１２ｃを三角配置し、三相に共通の端子箱１３を三角配置で形成された空きスペースに配置するようにしたが、リード線の引き出しのための端子箱を要する他の計測機器または保護機器に対して同様の構成としてもよい。
【００３７】
例えば、図示例において、避雷器１０ａ〜１０ｃのタンクの外径が計器用変圧器１２ａ〜１２ｃのタンクの外径よりも大きい場合は、避雷器１０ａ〜１０ｃを計器用変圧器１２ａ〜１２ｃのように三角配置し、避雷器１０ａ〜１０ｃに共通の端子箱を設け、この共通の端子箱を三角配置で形成された空きスペースに配置することができる。この場合は、計器用変圧器１２ａ〜１２ｃは第１の方向に直線的に配置し、端子箱も個別に設けられる。
【００３８】
また、本実施の形態では、線路側の計器用変流器７ａ〜７ｃは遮断器２ａ〜２ｃの分岐引出し口に接続されているが、これらを計器用変圧器１２ａ〜１２ｃの位置に設けた場合には、これらに上記と同様の構成を適用することができる。
【００３９】
また、本実施の形態では、遮断器２ａ〜２ｃは横型の遮断器としたが、本実施の形態は三相の縦型の遮断器に対しても同様に適用することができる。ここで、縦型の遮断器とは、遮断器タンクの長手方向が設置面に対して垂直となるような遮断器をいう。
【００４０】
一般に、本実施の形態は、三相の遮断器にそれぞれ三相の線路側断路器を介して三相の電気機器が接続され、三相の電気機器には共通して１個の端子箱が設けられ、三相の電気機器は上面視で三角配置され、端子箱は三角配置された三相の電気機器の空きスペース、具体的には第１の方向における両端の電気機器間に配置されていればよい。このような構成により、上記した本実施の形態の効果を得ることができ、その他の構成機器の有無および機器配置については特に限定されない。
【００４１】
実施の形態２．
図７は、本実施の形態に係るガス絶縁開閉装置１の側面図、図８は、本実施の形態に係るガス絶縁開閉装置１の上面図、図９は、計器用変圧器２７ａ〜２７ｃの側面図である。詳細には、図７は、図８におけるＺ１−Ｚ１側面図、図８は、図７におけるＸ−Ｘ平面図、図９は、図８におけるＷ−Ｗ側面図である。なお、図９では、他の構成機器の図示は省略している。
【００４２】
主母線６および三相の遮断器２ａ〜２ｃについては実施の形態１と同様である。すなわち、三相の遮断器２ａ〜２ｃは主母線６の延伸方向である第１の方向に配列されている。
【００４３】
図７では、三相のうちのＵ相の構成が示されている。計器用変流器３ａ、接地開閉器４ａ、断路器５ａ、計器用変流器７ａ、接地開閉器８ａ、断路器９ａ、避雷器１０ａおよび端子箱１５ａについては、実施の形態１と同様なので、同一の符号を付して詳細な説明を省略する。
【００４４】
断路器９ａには、接地開閉器８ａ側とは反対側にＴ字型の接続母線２５ａが接続され、接続母線２５ａの上部には接続母線２６ａが接続されている。接続母線２６ａは、図示しないＵ相の送電線に接続される。また、接続母線２６ａには計器用変圧器２７ａが接続されている。ここで、計器用変圧器２７ａは円筒状のタンクを備え、このタンクは軸線を第２の方向に向けて配置されている。なお、第２の方向は、実施の形態１と同様に、第１の方向と直交する水平方向である。
【００４５】
図７に対応するＶ相の構成の図示は省略しているが、図８では、計器用変流器３ｂ、接地開閉器４ｂ、断路器５ｂ、計器用変流器７ｂ、接地開閉器８ｂ、断路器９ｂ、避雷器１０ｂ、端子箱１５ｂ、接続母線２５ｂ、接続母線２６ｂおよび計器用変圧器２７ｂを示している。計器用変流器３ｂ、接地開閉器４ｂ、断路器５ｂおよび計器用変流器７ｂについては実施の形態１と同様である。接地開閉器８ｂ、断路器９ｂ、接続母線２５ｂおよび計器用変圧器２７ｂは、実施の形態１の対応機器よりも高い位置に配置される。すなわち、接地開閉器８ｂ、断路器９ｂ、接続母線２５ｂおよび計器用変圧器２７ｂは、接地開閉器８ａ、断路器９ａ、接続母線２５ａおよび計器用変圧器２７ａよりも高い位置に配置される。
【００４６】
また、断路器９ｂには、接地開閉器８ｂ側とは反対側にＴ字型の接続母線２５ｂが接続され、接続母線２５ｂの上部には接続母線２６ｂが接続されている。接続母線２６ｂは、図示しないＶ相の送電線に接続される。また、接続母線２６ｂには計器用変圧器２７ｂが接続されている。ここで、計器用変圧器２７ｂは円筒状のタンクを備え、このタンクは軸線を第２の方向に向けて配置されている。
【００４７】
図７に対応するＷ相の構成の図示は省略しているが、図８では、計器用変流器３ｃ、接地開閉器４ｃ、断路器５ｃ、計器用変流器７ｃ、接地開閉器８ｃ、断路器９ｃ、避雷器１０ｃ、端子箱１５ｃ、接続母線２５ｃ、接続母線２６ｃおよび計器用変圧器２７ｃを示している。これらの構成要素は、Ｕ相の構成要素と同様である。すなわち、計器用変流器３ｃ、接地開閉器４ｃ、断路器５ｃ、計器用変流器７ｃ、接地開閉器８ｃ、断路器９ｃ、避雷器１０ｃおよび端子箱１５ｃについては、実施の形態１の対応機器と同様である。また、接続母線２５ｃ、接続母線２６ｃおよび計器用変圧器２７ｃは、接続母線２５ａ、接続母線２６ａおよび計器用変圧器２７ａと同様である。
【００４８】
また、断路器９ｃには、接地開閉器８ｃ側とは反対側にＴ字型の接続母線２５ｃが接続され、接続母線２５ｃの上部には接続母線２６ｃが接続されている。接続母線２６ｃは、図示しないＷ相の送電線に接続される。また、接続母線２６ｃには計器用変圧器２７ｃが接続されている。ここで、計器用変圧器２７ｃは円筒状のタンクを備え、このタンクは軸線を第２の方向に向けて配置されている。
【００４９】
図８に示すように、計器用変圧器２７ａ〜２７ｃは、上面視で、第１の方向に配列されている。他方、図９では、第２の方向から側面視したときの計器用変圧器２７ａ〜２７ｃの配置構成を示している。図９に示すように、計器用変圧器２７ａ，２７ｃは第１の方向に配列され、計器用変圧器２７ｂは、計器用変圧器２７ａ，２７ｃに対して鉛直方向にずらして配置されている。具体的には、計器用変圧器２７ｂは、計器用変圧器２７ａ，２７ｃよりも上方に配置されている。
【００５０】
また、端子箱２８は、計器用変圧器２７ａ〜２７ｃからそれぞれ図示しないリード線を引き出すために設けられ、計器用変圧器２７ａ〜２７ｃに共通して１個設けられている。端子箱２８は、計器用変圧器２７ａ，２７ｃ間に配置される。計器用変圧器２７ａ、端子箱２８および計器用変圧器２７ｃは第１の方向に直線的に配列される。
【００５１】
本実施の形態によれば、図９に示すように、計器用変圧器２７ａ〜２７ｃを三角配置したので、相間距離Ｂを縮小化することができる。すなわち、計器用変圧器２７ａ〜２７ｃは、上面視で、互いに一部が重複するように配置することができるので、計器用変圧器２７ａ〜２７ｃの機器体格の制約を受けることなく、相間距離Ｂを縮小化することができる。
【００５２】
さらに、本実施の形態によれば、計器用変圧器２７ａ〜２７ｃに共通の端子箱２８を設け、計器用変圧器２７ａ，２７ｃと端子箱２８を第１の方向に直線的に配列したので、計器用変圧器２７ａ〜２７ｃを三角配置したことによる空きスペースを有効活用することができ、ユニット長Ｃの増大を抑制することができる。
【００５３】
以上に説明したように、本実施の形態によれば、三相の計器用変圧器２７ａ〜２７ｃを三角配置した場合でも、相間距離Ｂの縮小化を実現しつつ、ユニット長Ｃの縮小化が可能になる。
【００５４】
また、本実施の形態では、三相の計器用変圧器２７ａ〜２７ｃに一括の端子箱２８を設けるようにしたので、機器を省力化することができる。
【００５５】
なお、図９に示すように、本実施の形態では、計器用変圧器２７ｂは、計器用変圧器２７ａ，２７ｃよりも上方に配置されているが、計器用変圧器２７ｂを計器用変圧器２７ａ，２７ｃよりも下方に配置することもできる。この場合は、接地開閉器８ｂ、断路器９ｂ、接続母線２５ｂも計器用変圧器２７ｂの高さに応じてより下方に配置される。
【００５６】
また、図示は省略するが、実施の形態１と同様に、計器用変圧器２７ａ〜２７ｃの三角配置により形成された空きスペースを利用して、計器用変圧器２７ａ〜２７ｃに共通のガス配管を配置することができる。すなわち、計器用変圧器２７ａ〜２７ｃに対して共通して使用されるガス配管の先端部を、端子箱２８に対して第２の方向における主母線６側またはこれと反対側に配置することができる。
【００５７】
本実施の形態のその他の構成、作用効果は実施の形態１と同様である。
【００５８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５９】
１  ガス絶縁開閉装置、２ａ〜２ｃ  遮断器、３ａ〜３ｃ，７ａ〜７ｃ  計器用変流器、４ａ〜４ｃ，８ａ〜８ｃ  接地開閉器、５ａ〜５ｃ，９ａ〜９ｃ  断路器、６  主母線、１０ａ〜１０ｃ  避雷器、１１ａ〜１１ｃ，１４ａ〜１４ｃ，２５ａ〜２５ｃ，２６ａ〜２６ｃ  接続母線、１２ａ〜１２ｃ，２７ａ〜２７ｃ  計器用変圧器、１３，１５ａ〜１５ｃ，２８  端子箱、１４  リード線、２０ａ〜２０ｃ  バルブ、２１  ガス配管、５０  設置面、５１，５２ａ〜５２ｃ  架台。
【図１】
2016201969.tif 000003
【図２】
2016201969.tif 000004
【図３】
2016201969.tif 000005
【図４】
2016201969.tif 000006
【図５】
2016201969.tif 000007
【図６】
2016201969.tif 000008
【図７】
2016201969.tif 000009
【図８】
2016201969.tif 000010
【図９】
2016201969.tif 000011